(57)【特許請求の範囲】
【請求項１】
コンテンツ提供システムにおいて、
コンテンツの購買のためのユーザー端末機と；
前記ユーザー端末機のユーザーによって購買された第１コンテンツの購買内訳情報を貯蔵して、前記購買された第１コンテンツの購買内訳情報に基づいて第２コンテンツを提供するコンテンツ提供サーバーと；
前記コンテンツ提供サーバーに前記ユーザーの利用権限情報を伝送し、前記コンテンツ提供サーバーから前記第２コンテンツを受信するディスプレイ装置と；
を含み、
前記コンテンツ提供サーバーは、前記ディスプレイ装置の接続時に、前記ディスプレイ装置から、前記ユーザーの利用権限情報を受信した場合、前記貯蔵した購買内訳情報に基づいて、前記利用権限情報が示す前記ユーザーによって前記第１コンテンツの購買があったことを知らせて、前記ディスプレイ装置の収容可否に対応して前記第２コンテンツを提供し、
前記第１コンテンツは、第１アプリケーションを含み、前記第２コンテンツは、第２アプリケーションを含み、
前記コンテンツ提供サーバーは、前記ディスプレイ装置に前記第１アプリケーションに関する情報を送信し、
前記ディスプレイ装置は、前記コンテンツ提供サーバーから受信した前記第１アプリケーションに関する情報を表示し、前記第１アプリケーションに関する情報に基づいて前記第２アプリケーションを受信するか否かを選択するユーザーインタフェースを提供し、該ユーザーインタフェースに対するユーザー入力に対応して前記第２アプリケーションを受信することを特徴とするコンテンツ提供システム。
【請求項２】
前記コンテンツ提供サーバーは、
前記ユーザー端末機に前記第１コンテンツを提供する第１コンテンツ提供サーバーと；
前記ディスプレイ装置に前記第２コンテンツを提供する第２コンテンツ提供サーバーと；
を含むことを特徴とする請求項１に記載のコンテンツ提供システム。
【請求項３】
前記第１コンテンツ提供サーバーは、前記購買された第１コンテンツの購買内訳情報を前記第２コンテンツ提供サーバーに提供し、
前記第２コンテンツ提供サーバーは、前記ディスプレイ装置から前記利用権限情報を受信して、前記第１コンテンツの購買内訳情報と前記利用権限情報の対応可否に従って前記第２コンテンツを前記ディスプレイ装置に提供することを特徴とする請求項２に記載のコンテンツ提供システム。
【請求項４】
前記ディスプレイ装置は、ユーザーの入力に基づいて前記利用権限情報を伝送することを特徴とする請求項１に記載のコンテンツ提供システム。
【請求項５】
前記第２コンテンツは、前記第１コンテンツに対応されるディスプレイ用コンテンツであることを特徴とする請求項１に記載のコンテンツ提供システム。
【請求項６】
前記購買内訳情報は、前記第１コンテンツを購買したユーザーの第１識別情報を含み、
前記利用権限情報は、前記第１コンテンツを購買したユーザーの第２識別情報を含み、
前記コンテンツ提供サーバーは、前記第１識別情報と前記第２識別情報の一致可否を確認することを特徴とする請求項１に記載のコンテンツ提供システム。
【請求項７】
ディスプレイ装置において、
映像信号を受信する信号受信部と；
前記信号受信部によって受信される前記映像信号を処理する信号処理部と；
前記信号処理部によって処理される映像信号に基づいて映像をディスプレイするディスプレイ部と；
ネットワークを通じて、ユーザー端末機のユーザーによって購買された第１コンテンツの購買内訳情報を貯蔵し、前記購買された第１コンテンツの購買内訳情報に基づいて第２コンテンツを提供するコンテンツ提供サーバーと通信する通信部と；
前記コンテンツ提供サーバーに前記ユーザーの利用権限情報を伝送し、前記コンテンツ提供サーバーから前記第２コンテンツを受信する制御部と；
を含み、
前記制御部は、前記通信部による前記コンテンツ提供サーバーへの接続時に、前記利用権限情報を伝送したことに応じて、前記コンテンツ提供サーバーから前記貯蔵された購買内訳情報に基づいて、前記利用権限情報が示す前記ユーザーによって前記第１コンテンツの購入があったことを受信すると、収容可否に対応して、前記コンテンツ提供サーバーから前記第２コンテンツを受信し、
前記第１コンテンツは、第１アプリケーションを含み、前記第２コンテンツは、第２アプリケーションを含み、
前記コンテンツ提供サーバーは、前記ディスプレイ装置に前記第１アプリケーションに関する情報を送信し、
前記ディスプレイ装置は、前記コンテンツ提供サーバーから受信した前記第１アプリケーションに関する情報を表示し、前記第１アプリケーションに関する情報に基づいて前記第２アプリケーションを受信するか否かを選択するユーザーインタフェースを提供し、該ユーザーインタフェースに対するユーザー入力に対応して前記第２アプリケーションを受信することを特徴とするディスプレイ装置。
【請求項８】
ユーザーの入力を受信するユーザー入力部をさらに含み、
前記制御部は、前記ユーザーの入力に基づいて前記利用権限情報を伝送することを特徴とする請求項７に記載のディスプレイ装置。
【請求項９】
前記制御部は、前記コンテンツ提供サーバーに前記第２コンテンツを要請して、前記第２コンテンツが提供されることを特徴とする請求項７に記載のディスプレイ装置。
【請求項１０】
コンテンツ提供方法において、
ユーザー端末機のユーザーによって購買された第１コンテンツの購買内訳情報をコンテンツ提供サーバーで貯蔵する段階と；
ディスプレイ装置から前記コンテンツ提供サーバーに前記ユーザーの利用権限情報を伝送する段階と；
前記コンテンツ提供サーバーで前記購買された第１コンテンツの購買内訳情報と、前記ディスプレイ装置から受信された利用権限情報に基づいた第２コンテンツに関する利用権限可否によって前記コンテンツ提供サーバーから前記ディスプレイ装置に前記第２コンテンツを伝送する段階と；
を含み、
前記コンテンツ提供サーバーは、前記ディスプレイ装置の接続時に、前記ディスプレイ装置から前記ユーザーの利用権限情報を受信した場合、前記貯蔵された購買内訳情報に基づいて、前記利用権限情報が示す前記ユーザーによって前記第１コンテンツの購買があったことを知らせて、前記ディスプレイ装置の収容可否に対応して前記第２コンテンツを提供し、
前記第１コンテンツは、第１アプリケーションを含み、前記第２コンテンツは、第２アプリケーションを含み、
前記コンテンツ提供サーバーは、前記ディスプレイ装置に前記第１アプリケーションに関する情報を送信し、
前記ディスプレイ装置は、前記コンテンツ提供サーバーから受信した前記第１アプリケーションに関する情報を表示し、前記第１アプリケーションに関する情報に基づいて前記第２アプリケーションを受信するか否かを選択するユーザーインタフェースを提供し、該ユーザーインタフェースに対するユーザー入力に対応して前記第２アプリケーションを受信することを特徴とするコンテンツ提供方法。
【請求項１１】
前記コンテンツ提供サーバーは、
前記ユーザー端末機に前記第１コンテンツを提供する第１コンテンツ提供サーバーと；
前記ディスプレイ装置に前記第２コンテンツを提供する第２コンテンツ提供サーバーと；
を含むことを特徴とする請求項１０に記載のコンテンツ提供方法。
【請求項１２】
前記第１コンテンツ提供サーバーは、前記購買された第１コンテンツの購買内訳情報を前記第２コンテンツ提供サーバーに提供し、
前記第２コンテンツ提供サーバーは、前記ディスプレイ装置から前記利用権限情報を受信して、前記第１コンテンツの購買内訳情報と前記利用権限情報の対応可否に従って前記第２コンテンツを前記ディスプレイ装置に提供することを特徴とする請求項１１に記載のコンテンツ提供方法。
【請求項１３】
受信される映像信号に基づいて映像をディスプレイするディスプレイ装置の制御方法において、
ネットワークを通じて、ユーザー端末機のユーザーによって購買された第１コンテンツの購買内訳情報を貯蔵して、前記購買された第１コンテンツの購買内訳情報に基づいて第２コンテンツを提供するコンテンツ提供サーバーに接続する段階と；
前記コンテンツ提供サーバーに前記ユーザーの利用権限情報を伝送する段階と；
前記コンテンツ提供サーバーから前記第２コンテンツを受信する段階と；
を含み、
前記コンテンツ提供サーバーへの接続時に前記利用権限情報を伝送したことに応じて、前記コンテンツ提供サーバーから前記貯蔵された購買内訳情報に基づいて、前記利用権限情報が示す前記ユーザーによって第１コンテンツの購入があったことを受信すると、収容可否に対応して、前記コンテンツ提供サーバーから前記第２コンテンツを受信し、
前記第１コンテンツは、第１アプリケーションを含み、前記第２コンテンツは、第２アプリケーションを含み、
前記コンテンツ提供サーバーは、前記ディスプレイ装置に前記第１アプリケーションに関する情報を送信し、
前記ディスプレイ装置は、前記コンテンツ提供サーバーから受信した前記第１アプリケーションに関する情報を表示し、前記第１アプリケーションに関する情報に基づいて前記第２アプリケーションを受信するか否かを選択するユーザーインタフェースを提供し、該ユーザーインタフェースに対するユーザー入力に対応して前記第２アプリケーションを受信することを特徴とするディスプレイ装置の制御方法。
【発明の詳細な説明】
【技術分野】
【０００１】
本発明は、コンテンツ提供システム及びそのコンテンツ提供方法、ディスプレイ装置及びその制御方法に係り、さらに詳しくは、コンテンツをディスプレイ装置に提供することができるコンテンツ提供システム及びそのコンテンツ提供方法、ディスプレイ装置及びその制御方法に関する。
【背景技術】
【０００２】
モバイル端末機は、電話機能だけでなく、ゲーム、ニュース、天気等の生活情報、音楽、漫画等様々なコンテンツを提供しており、このようなコンテンツは、コンテンツ提供サーバーから購買することができる。モバイル端末機は、ＰＣのようにネットワークを通じて多様なサーバーに接続することができるし、ユーザーが願うコンテンツを自由に購買することができる。
【０００３】
テレビジョンの場合も、放送だけでなく、マルチメディア機能を提供し、ネットワークを通じてコンテンツ提供サーバーに接続することができる。テレビジョンは、コンテンツ提供サーバーから多様なコンテンツが提供されて、画面にディスプレイすることによって、ユーザーが容易に情報を分かるようにする。
【０００４】
ユーザーがモバイル端末機を利用してコンテンツを購買して利用する場合、同じなコンテンツをテレビジョンでも利用するのを希望する場合が多い。この場合、ユーザーがテレビジョンを通じてコンテンツを再購買しなければならないので、これはユーザーに不便を与えるだけでなく、二重で費用を支払わなければならないという問題が発生する。
【発明の概要】
【発明が解決しようとする課題】
【０００５】
従って、本発明の目的は、ユーザーがモバイル端末機などのようなユーザー端末機を利用して購買したコンテンツに対応するディスプレイ用コンテンツをディスプレイ装置に提供することができるコンテンツ提供システム及びそのコンテンツ提供方法、ディスプレイ装置及びその制御方法を提供することである。
【課題を解決するための手段】
【０００６】
本発明によるコンテンツ提供システムは、コンテンツの購買のためのユーザー端末機と；前記ユーザー端末機のユーザーによって購買された第１コンテンツの購買内訳情報を貯蔵して、前記購買された第１コンテンツの購買内訳情報に基づいて第２コンテンツを提供するコンテンツ提供サーバーと；前記コンテンツ提供サーバーに前記ユーザーの利用権限情報を伝送し、前記コンテンツ提供サーバーから前記第２コンテンツを受信するディスプレイ装置と；を含み、前記コンテンツ提供サーバーは、前記ディスプレイ装置の接続時に、前記ディスプレイ装置から、前記ユーザーの利用権限情報を受信した場合、前記貯蔵した購買内訳情報に基づいて、前記利用権限情報が示す前記ユーザーによって前記第１コンテンツの購買があったことを知らせて、前記ディスプレイ装置の収容可否に対応して前記第２コンテンツを提供し、前記第１コンテンツは、第１アプリケーションを含み、前記第２コンテンツは、第２アプリケーションを含み、前記コンテンツ提供サーバーは、前記ディスプレイ装置に前記第１アプリケーションに関する情報を送信し、前記ディスプレイ装置は、前記コンテンツ提供サーバーから受信した前記第１アプリケーションに関する情報を表示し、前記第１アプリケーションに関する情報に基づいて前記第２アプリケーションを受信するか否かを選択するユーザーインタフェースを提供し、該ユーザーインタフェースに対するユーザー入力に対応して前記第２アプリケーションを受信することができる。
【０００７】
ここで、コンテンツ提供サーバーは、前記ユーザー端末機に前記第１コンテンツを提供する第１コンテンツ提供サーバーと；前記ディスプレイ装置に前記第２コンテンツを提供する第２コンテンツ提供サーバーと；を含むことができる。
【０００８】
また、第１コンテンツ提供サーバーは、前記購買された第１コンテンツの購買内訳情報を前記第２コンテンツ提供サーバーに提供し、前記第２コンテンツ提供サーバーは、前記ディスプレイ装置から前記利用権限情報を受信して、前記第１コンテンツの購買内訳情報と前記利用権限情報の対応可否に従って前記第２コンテンツを前記ディスプレイ装置に提供することができる。
【０００９】
また、コンテンツ提供サーバーは、前記ディスプレイ装置の接続時に前記第１コンテンツの購買があったことを知らせて、前記ディスプレイ装置の収容可否に対応して前記第２コンテンツを提供することができる。
【００１０】
また、ディスプレイ装置は、前記コンテンツ提供サーバーに前記第２コンテンツを要請して、前記第２コンテンツが提供されることができるし、ユーザーの入力に基づいて前記利用権限情報を伝送することができる。
【００１１】
また、第２コンテンツは、前記第１コンテンツに対応されるディスプレイ用コンテンツであることができる。
【００１２】
また、購買内訳情報は、前記第１コンテンツを購買したユーザーの第１識別情報を含み、前記利用権限情報は、前記第１コンテンツを購買したユーザーの第２識別情報を含み、前記コンテンツ提供サーバーは、前記第１識別情報と前記第２識別情報の一致可否を確認して第２コンテンツを提供することができる。
【００１３】
また、本発明によるディスプレイ装置は、映像信号を受信する信号受信部と；前記信号受信部によって受信される前記映像信号を処理する信号処理部と；前記信号処理部によって処理される映像信号に基づいて映像をディスプレイするディスプレイ部と；ネットワークを通じて、ユーザー端末機のユーザーによって購買された第１コンテンツの購買内訳情報を貯蔵し、前記購買された第１コンテンツの購買内訳情報に基づいて第２コンテンツを提供するコンテンツ提供サーバーと通信する通信部と；前記コンテンツ提供サーバーに前記ユーザーの利用権限情報を伝送し、前記コンテンツ提供サーバーから前記第２コンテンツを受信する制御部と；を含み、前記制御部は、前記通信部による前記コンテンツ提供サーバーへの接続時に、前記利用権限情報を伝送したことに応じて、前記コンテンツ提供サーバーから前記貯蔵された購買内訳情報に基づいて、前記利用権限情報が示す前記ユーザーによって前記第１コンテンツの購入があったことを受信すると、収容可否に対応して、前記コンテンツ提供サーバーから前記第２コンテンツを受信し、前記第１コンテンツは、第１アプリケーションを含み、前記第２コンテンツは、第２アプリケーションを含み、前記コンテンツ提供サーバーは、前記ディスプレイ装置に前記第１アプリケーションに関する情報を送信し、前記ディスプレイ装置は、前記コンテンツ提供サーバーから受信した前記第１アプリケーションに関する情報を表示し、前記第１アプリケーションに関する情報に基づいて前記第２アプリケーションを受信するか否かを選択するユーザーインタフェースを提供し、該ユーザーインタフェースに対するユーザー入力に対応して前記第２アプリケーションを受信することができる。
【００１４】
ここで、ディスプレイ装置は、ユーザーの入力を受信するユーザー入力部をさらに含み、前記制御部は、前記ユーザーの入力に基づいて前記利用権限情報を伝送することができる。
【００１５】
また、制御部は、前記コンテンツ提供サーバーに前記第２コンテンツを要請して、前記第２コンテンツが提供されることができる。
【発明の効果】
【００１６】
前述のように、本発明によると、ユーザーがユーザー端末機を利用して購買したコンテンツに対応するコンテンツをコンテンツ提供サーバーがディスプレイ装置に提供することができるので、ユーザーはコンテンツに対する費用を重複で支払わないで簡便にディスプレイ装置で利用することができる。
【発明を実施するための形態】
【００１７】
以下、添付図面を参照して本発明の実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明に関しない部分は省略し、明細書の全体を通じて同一または類似な構成要素に対しては同一な参照符号を付ける。
【００１８】
図１は、本発明の一実施形態によるコンテンツ提供システム１１を示す図である。図１に示すように、テレビジョン１０、モバイル端末機１３、コンテンツ提供サーバー１２は、インターネット１４に通じて接続することができる。ここで、本発明の一実施形態によるコンテンツ提供システム１１は、ＰＤＡ（図示せず）、ＰＣ（図示せず）のような電子装置も含まれることができるし、本発明の一実施形態によるコンテンツ提供システム１１を構成するディスプレイ装置１０はテレビジョン１０を例えて説明する。
【００１９】
コンテンツ提供サーバー１２は、多様なコンテンツを販売することができる。ここでコンテンツは、漫画、ゲーム、キャラクター、ウィゼットで提供される天気、証券、時計、ニュース等である。ユーザーは、モバイル端末機１３を利用してコンテンツ提供サーバー１２に接続した後にコンテンツを購買することができる。ユーザーは、コンテンツ提供サーバー１２に接続した後に、アイディー及びパスワードを入力しユーザーを確認してコンテンツを購買したり、別途のユーザー確認なしにコンテンツを購買し、オンライン決栽方式でコンテンツを購買することもできる。
【００２０】
また、コンテンツ提供サーバー１２は、ユーザーがモバイル端末機１３で表示されることができるコンテンツ（以下、第１コンテンツと言う）を購買する場合、第１コンテンツに対応するテレビジョン１０で表示されることができるコンテンツ（以下、第２コンテンツと言う）をユーザーに提供することができる。
【００２１】
一方、コンテンツ提供サーバー１２は、複数のユーザーに対するユーザー関連情報を貯蔵することができる。すなわち、ユーザー名前、アイディー、パスワード、ユーザーモバイル端末機１３及びテレビジョン１０のシリアル番号等に関する事項を貯蔵することができる。したがって、ユーザーがモバイル端末機１３を利用して第１コンテンツを購買する場合に、コンテンツ提供サーバー１２は購買された第１コンテンツの購買内訳情報を貯蔵する。ここで、購買内訳情報は、ユーザーのアイディー及びパスワード、コンテンツの種類、購買日時等を含むことができる。
【００２２】
また、コンテンツ提供サーバー１２は、多数で運営されることができる。従って、ユーザーは、直接にコンテンツ提供サーバー１２をさがして接続することができるし、コンテンツ提供サーバー１２を管理する統合サーバーを通じて接続することもできる。テレビジョン１０またはモバイル端末機１３がコンテンツ提供サーバー１２に接続する場合、コンテンツ提供サーバー１２は、ユーザーのアイディー及びパスワードを利用してユーザーを確認し接続を許容することができる。または、テレビジョン１０またはモバイル端末機１３のシリアル番号を利用して接続を許容することもできる。
【００２３】
コンテンツ提供サーバー１２は、ユーザーがテレビジョン１０を利用して第２コンテンツを要請する場合、ユーザーに第２コンテンツの利用権限があるのか確認する。すなわち、貯蔵された第１コンテンツの購買内訳に含まれたユーザーのアイディー及びパスワードとテレビジョン１０から入力されたユーザーのアイディー及びパスワードを比べる。アイディー及びパスワードが一致すれば、ユーザーに利用権限があると判断して第２コンテンツをテレビジョン１０に伝送する。
【００２４】
ここで、テレビジョン１０がコンテンツ提供サーバー１２に接続する時、ユーザーのアイディー及びパスワードを入力した場合に、コンテンツ提供サーバー１２は、アイディー及びパスワードの一致可否を確認した後、第２コンテンツを提供することができる。ただ、テレビジョン１０がコンテンツ提供サーバー１２に接続する時、テレビジョン１０のシリアル番号だけを確認した場合には、ユーザーが第２コンテンツを要請する場合にコンテンツ提供サーバー１２は、ユーザーに第２コンテンツの利用権限情報を要請する。テレビジョン１０からユーザーの第２コンテンツの利用権限情報が伝送されれば、ユーザーが第２コンテンツの利用権限があるのか否かを判断する。ここで、利用権限情報は、ユーザーのアイディー及びパスワードを含む。
【００２５】
一方、コンテンツ提供サーバー１２は、ユーザーが第１コンテンツを購買した場合、ユーザーが先に第２コンテンツを要請しなくても、第２コンテンツをテレビジョン１０に伝送することができる。すなわち、コンテンツ提供サーバー１２にテレビジョン１０が接続すれば、コンテンツ提供サーバー１２は、ユーザーが入力するアイディー及びパスワードが第１コンテンツの購買内訳情報に含まれたアイディー及びパスワードと一致するのか確認する。一致する場合、コンテンツ提供サーバー１２は、ユーザーに第１コンテンツの購買事実を知らせて、購買されたコンテンツに対応する第２コンテンツのダウンロード収容可否を問う。ユーザーが収容すれば、第２コンテンツを提供する。この時、ダウンロードの収容可否を問うために、第２コンテンツの関連情報をテレビジョン１０に伝送して、ユーザーが第２コンテンツがどんな内容を含んでいるのか分かるようにできる。また、ユーザーがコンテンツ関連情報を容易に分かるように、音、文字キャラクターなどの知らせ情報を一緒に伝送することができる。
【００２６】
一方、他の実施形態として、コンテンツ提供サーバー１２をコンテンツ販売サーバー（図示せず）とコンテンツ提供サーバー（図示せず）に分離することができる。コンテンツ販売サーバーは、モバイル端末機１３等にコンテンツを販売するサーバーであり、コンテンツ提供サーバーは、テレビジョン１０にコンテンツを提供するサーバーである。ユーザーがモバイル端末機１３を利用してコンテンツ販売サーバーから第１コンテンツを購買すれば、コンテンツ販売サーバーは、第１コンテンツの購買内訳をコンテンツ提供サーバーに提供する。ここで、購買内訳は、ユーザーのアイディー、パスワード、コンテンツ購買日時及び第２コンテンツを含むことができる。テレビジョン１０がコンテンツ提供サーバーに接続すれば、コンテンツ提供サーバーは、テレビジョン１０ユーザーのアイディー及びパスワード等を利用してユーザーの第２コンテンツ利用権限を確認する。利用権限のある場合、コンテンツ提供サーバーは、テレビジョン１０に第２コンテンツを提供する。
【００２７】
図２は、本発明の一実施形態によるコンテンツ提供システム１１を構成するディスプレイ装置１０の構成を示す図である。図２に示すように、本実施形態によるディスプレイ装置１０は、信号受信部１４０、信号処理部１０５、ディスプレイ部１１０、制御部１２０、通信部１５０及びユーザー入力部１３０を含むことができる。
【００２８】
信号受信部１４０は、外部から映像信号を受信する。信号受信部１４０で受信される映像信号は、デジタルテレビジョン信号、ケーブル放伝送号などのような放伝送号を含む。この場合、信号受信部１４０は、制御部１２０の制御によってユーザーが選択したチャンネルの放伝送号をチューニングして受信することができる。また、信号受信部１４０によって受信される映像信号は、ＤＶＤ、ＢＤなどのような映像器機から出力される信号を含むことができる。
【００２９】
信号処理部１０５は、信号受信部１４０で受信される映像信号を受信して、ディスプレイ部１１０に映像がディスプレイされるように所定の信号処理を行う。信号処理部１０５で行われる信号処理は、映像信号に関するデコーディング、イメージインヘンシング、スケーリングなどを含む。また、信号処理部１０５は、コンテンツ提供サーバー１２から第２コンテンツが受信される場合、受信された第２コンテンツがディスプレイされるように処理する。
【００３０】
ディスプレイ部１１０は、信号処理部１０５で処理された映像信号に基づいて映像をディスプレイする。また、ディスプレイ部１１０は、信号処理部１０５で処理された第２コンテンツを表示することもできる。
【００３１】
通信部１５０は、インターネットなどのようなネットワークを通じてコンテンツ提供サーバー１２と通信を行い、ＴＣＰ／ＩＰ基盤で有線または無線通信が可能である。通信部１５０は、制御部１２０の制御によって通信を行い、コンテンツ提供サーバー１２に情報を伝達したり、コンテンツ提供サーバー１２から情報を受信することができる。本実施形態で通信部１５０は、ユーザーが入力する第２コンテンツの利用権限情報をコンテンツ提供サーバー１２に伝達し、コンテンツ提供サーバー１２から第２コンテンツが受信されることができる。ここで、第２コンテンツに対する利用権限情報は、ユーザーのアイディー及びパスワードになることができる。
【００３２】
ユーザー入力部１３０は、ユーザーの入力を受信するためのこととして、例えば遠隔で調節することができるようにするリモコンや、ディスプレイ装置１０の本体（図示せず）に設けられる操作パネルなどで具現されることができる。ユーザー入力部１３０によって受信されたユーザーの入力は制御部１２０に伝達する。
【００３３】
制御部１２０は、信号処理部１０５など、ディスプレイ装置１０の他の構成を全般的に制御する。また、制御部１２０は、ユーザーがユーザー入力部１３０を通じて第２コンテンツの利用権限情報を入力すれば、通信部１５０を通じてコンテンツ提供サーバー１２に伝達するようにして、コンテンツ提供サーバー１２から受信された第２コンテンツがディスプレイされるようにする。
【００３４】
図３は、本発明の一実施形態によるコンテンツ提供システム１１を構成するディスプレイ装置１０でコンテンツ関連情報をディスプレイする図である。図３に示すように、本実施形態によるディスプレイ装置１０は、インターネット等を利用することができるインターネットモードに進入すれば、天気、証券、ニュース及び不動産のような基本構成３１０がディスプレイされる。ユーザーがニュースを選択すれば、制御部１２０は、ユーザーがニュースを見られるようにニュースサーバー（図示せず）からニュース情報を受信するようにしてニュースがディスプレイされるようにする。通信部１５０を通じてコンテンツ提供サーバー１２から第２コンテンツ関連情報３００が受信されれば、制御部１２０は第２コンテンツ関連情報３００をディスプレイする。この時、第２コンテンツ関連情報３００に含まれた知らせ情報も実行されて、知らせ音が出力されたり、キャラクターがディスプレイされることができる。ユーザーが第２コンテンツ関連情報３００を見て、第２コンテンツの伝送を収容すれば、コンテンツ提供サーバー１２は第２コンテンツを伝送する。
【００３５】
図４は、本発明の一実施形態によるコンテンツ提供システム１１を構成するディスプレイ装置１０でコンテンツをディスプレイする図である。
【００３６】
コンテンツ提供サーバー１２から第２コンテンツが受信されれば、制御部１２０は受信された第２コンテンツがディスプレイされるようにする。
【００３７】
図４に示すように、本実施形態によるディスプレイ装置１０に提供された第２コンテンツは、時計ウィゼット４００または天気及び温度ウィゼット４１０を例える。ユーザーが本実施形態によるディスプレイ装置１０で願う放送を視聴する場合、画面には映像４２０がディスプレイされる。この時、ユーザーが第２コンテンツ４００及び４１０を実行すれば、画面には時計ウィゼット４００、天気及び温度ウィゼット４１０が映像４２０と共にディスプレイされる。このようなウィゼット型コンテンツ４００及び４１０は、リアルタイムでデータが伝送されたユーザーに時間、温度等を見せてくれることができる。従って、ユーザーは放送を見ながらも必要な情報をリアルタイムで確認することができる。
【００３８】
図５は、本発明の一実施形態によるコンテンツ提供システム１１の動作を示すフローチャートである。図５に示すように、ユーザーがモバイル端末機１３を利用してコンテンツ提供サーバー１２で第１コンテンツを購買すれば、コンテンツ提供サーバー１２は第１コンテンツの購買内訳情報を貯蔵する（５００）。以後、ユーザーがテレビジョン１０を利用して第２コンテンツを要請すれば、コンテンツ提供サーバー１２は、テレビジョン１０ユーザーが第２コンテンツの利用権限があるのか確認するために、ユーザーに第２コンテンツに対する利用権限情報を伝送するようにする（５１０）。
【００３９】
ユーザーが第２コンテンツの利用権限情報を送れば、コンテンツ提供サーバー１２は、第１コンテンツの購買内訳情報に含まれたユーザーの識別情報と利用権限情報に含まれたユーザーの識別情報とを比べて、一致すれば（５２０のＹＥＳ）第２コンテンツをテレビジョン１０に伝送する（５３０）。
【００４０】
図６は、本発明の一実施形態によるコンテンツ提供システム１１を構成するディスプレイ装置１０の動作を示すフローチャートである。図６に示すように、本実施形態によるディスプレイ装置１０で第２コンテンツのディスプレイのためにコンテンツ提供サーバー１２に接続する（６００）。接続後、コンテンツ提供サーバー１２で第２コンテンツの利用権限情報を要請する場合、制御部１２０はユーザーが入力するユーザーの利用権限情報をコンテンツ提供サーバー１２に伝送するようにする（６１０）。伝送後、コンテンツ提供サーバー１２に貯蔵された第１コンテンツの購買内訳情報に含まれたユーザーの識別情報とユーザーが入力した第２コンテンツの利用権限情報に含まれた識別情報とが一致すれば（６２０のＹＥＳ）制御部１２０はコンテンツ提供サーバー１２から伝送されるコンテンツを受信してディスプレイされるようにする。
【００４１】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【図面の簡単な説明】
【００４２】
【図１】本発明の一実施形態によるコンテンツ提供システムを示す図である。
【図２】本発明の一実施形態によるコンテンツ提供システムを構成するディスプレイ装置の構成を示す図である。
【図３】本発明の一実施形態によるコンテンツ提供システムを構成するディスプレイ装置でコンテンツ関連情報をディスプレイする図である。
【図４】本発明の一実施形態によるコンテンツ提供システムを構成するディスプレイ装置でコンテンツをディスプレイする図である。
【図５】本発明の一実施形態によるコンテンツ提供システムの動作を示すフローチャートである。
【図６】本発明の一実施形態によるコンテンツ提供システムを構成するディスプレイ装置の動作を示すフローチャートである。
【符号の説明】
【００４３】
１０５  信号処理部
１１０  ディスプレイ部
１２０  制御部
１３０  ユーザー入力部
１４０  信号受信部
１５０  通信部
【図１】
0005947481.tif 000002
【図２】
0005947481.tif 000003
【図３】
0005947481.tif 000004
【図４】
0005947481.tif 000005
【図５】
0005947481.tif 000006
【図６】
0005947481.tif 000007